(57)【要約】  バスバー（３）と、自由クランプ脚部（１０）が設けられる加圧スプリング（１０）とを有する少なくとも１つの押し込み接続部（２）を表わす接続システムであって、前記自由クランプ脚部が、凹部（８）を通過して当該凹部内で移動できるとともに、小さい断面を有するワイヤ形状導体と大きい断面を有する少なくとも１つのピン状導体とを備える異なる直径を有する導体（１４〜１６）と接触するために使用される、接続システムにおいて、前記クランプ脚部（１０）には、少なくとも２つの異なる加圧領域（１１，１３）が設けられ、これらの加圧領域は、いずれの場合にも、異なる断面を有する導体（１４〜１６）と接触するために使用される。【選択図】  図４
2009529211.tif 000002
【特許請求の範囲】
【請求項１】
バスバー（３）と、自由クランプ脚部（１０）が設けられる加圧スプリング（１０）とを含む少なくとも１つの押し込み接続部（２）を有する接続システムであって、前記自由クランプ脚部が、凹部（８）を通過して当該凹部内で移動できるとともに、小さい断面を有するワイヤ形状導体と大きい断面を有する少なくとも１つのピン状導体とを備える異なる直径を有する導体（１４〜１６）と接触するために使用される、接続システムにおいて、
前記クランプ脚部（１０）には、少なくとも２つの異なる加圧領域（１１，１３）が設けられ、これらの加圧領域が、いずれの場合にも、異なる断面を有する導体（１４〜１６）と接触するために使用されることを特徴とする、接続システム。
【請求項２】
前記バスバー（３）がＵ形状であることを特徴とする、請求項１に記載の接続システム。
【請求項３】
前記加圧スプリング（６）が、凹部（８）を有する第１の脚部（７）を前記バスバー（３）上に載置し、それにより、ループ状の曲げ領域（９）が前記第１の脚部（７）に隣接し、前記ループ状の曲げ領域が、その自由端（１１）が前記凹部（８）を通過する前記自由クランプ脚部（１０）へと移行することを特徴とする、請求項１または２に記載の接続システム。
【請求項４】
前記加圧スプリングが、第１の固定脚部を有するＶ形状であり、前記第１の脚部と隣接する自由クランプ脚部を有していることを特徴とする、請求項１〜３のいずれか一項に記載の接続システム。
【請求項５】
前記２つの加圧領域のうちの一方（１１）が、前記クランプ脚部（１０）の自由端（１１）によって構成されることを特徴とする、請求項１〜４のいずれか一項に記載の接続システム。
【請求項６】
第２の加圧領域（１１）が、前記クランプ脚部（１０）の第１の曲げ領域（２２）によって構成されることを特徴とする、請求項１〜５のいずれか一項に記載の接続システム。
【請求項７】
前記第１の曲げ領域（２２）に隣接して、更なる対向して位置合わせされる曲げ領域（２３）が前記クランプ脚部（１０）に形成され、それにより、２つの曲げ領域（２２，２３）が協働してＳ曲線を形成することを特徴とする、請求項１〜６のいずれか一項に記載の接続システム。
【請求項８】
前記クランプ脚部（１０）のための突合せ部としての機能を果たす接触突部（１２）が前記バスバー（３）から曲げられていることを特徴とする、請求項１〜７のいずれか一項に記載の接続システム。
【請求項９】
前記凹部（８）が前記加圧スプリング（６）及び／又は前記バスバー（３）に形成されることを特徴とする、請求項１〜８のいずれか一項に記載の接続システム。
【請求項１０】
少なくとも１つの前記押し込み接続部（２）が端子台の一部として形成されることを特徴とする、請求項１〜９のいずれか一項に記載の接続システム。
【発明の詳細な説明】
【技術分野】
【０００１】
本発明は、請求項１の前提部分に係る加圧スプリングを伴う少なくとも１つの押し込み接続部（直接押し込み接続部）を有する接続システムに関する。
【背景技術】
【０００２】
押し込み接続部は、接触されるべき導体を自由クランプ脚部を用いてバスバーに対して押し付ける加圧スプリングを用いて形成することができる。１つの特定の構造によれば、接触状態にある加圧スプリングの自由クランプ脚部とバスバーとの間に一種のＶが形成され、このＶの先端において、導体が、バスバーとクランプ脚部の自由端との間で強固にクランプされて接触される。また、導体のための押し込み方向に対して幾分クランプ脚部の自由端を曲げ、それにより、クランプ脚部を直線様態で導体の縁部に載置させ、その結果、クランプ点からの導体の何らかの意図しない緩みに対する抵抗を高めることができることも知られている。
【発明の開示】
【発明が解決しようとする課題】
【０００３】
その結果、特に幾何学的条件に起因して僅かな角度だけクランプ脚部を揺動させることができる場合に、接触されるべき導体の領域が制限される。その結果、最大揺動角が、接触されなければならない導体が有することができる可能な最大直径をも決定してしまう。これは、例えば大きな直径を有する導電ピンが接触できないという欠点を伴う。本発明の目的はこの問題を解決することである。
【課題を解決するための手段】
【０００４】
本発明は、請求項１の対象によってこの問題を解決する。したがって、クランプ脚部には、少なくとも２つの異なる加圧領域が設けられ、これらの加圧領域は、いずれの場合にも、異なる断面を有する導体と接触するために使用される。これにより、クランプスプリングを使用して、小さい直径を有する導体および大きい直径を有する導体の両方と接触することができる。これは、２つの加圧領域のそれぞれが、異なる直径を有する導体のみと関連して作動されるからである。
【０００５】
これは、特に以下の様態によって行なうことができる。すなわち、２つの加圧領域のうちの一方がクランプ脚部の自由端によって構成され、また、２つの加圧領域に加えて、更なる加圧領域がクランプ脚部の第１の曲げ領域によって形成される。
【０００６】
好ましくは、第１の曲げ領域と共に、更なる対向して位置合わせされる曲げ領域がクランプ脚部に更に形成され、それにより、２つの曲げ領域が協働して一種のＳ曲線を形成し、その結果、特に大きな直径を有する導体もクランプ点で接触させることができる。
【０００７】
前記特徴は、特に、ループ状構造および比較的長い自由クランプ脚部を有する加圧スプリングを使用するときに特に有利な様態で（図１参照）、実施することができるが、これに限らない。
【０００８】
また、加圧スプリングが、第１の固定脚部を有するＶ形状であり、第１の脚部と隣接する自由クランプ脚部を有していることも考えられる。
【０００９】
他の有利な実施形態を他の従属請求項で見出すことができる。
【００１０】
以下、図面を参照しながら、典型的な実施形態を用いて、本発明について更に詳しく説明する。
【発明を実施するための最良の形態】
【００１１】
図１は、２つの本発明に基づく押し込み接続部２を有する端子台１を示している。
【００１２】
端子台には、バスバー３、好ましくは１つのベース脚部４と２つの長手方向脚部５とを有するＵ形状断面をもつバスバー３が配置されており、端子台におけるバスバーの開口領域は、支持レール２１から離れて面する側で、上方へ合わせられている。
【００１３】
２つの押し込み接続部２のそれぞれにおいては、長手方向脚部５の上縁に加圧スプリング６が配置されている（図４も参照）。
【００１４】
これらの加圧スプリング６は、ベース脚部７が長手方向脚部５上に載置しており、ベース脚部７に窓状の凹部を有している。
【００１５】
ベース脚部７に隣接して、長く続くループ状曲げ領域９が存在しており、この曲げ領域９は、２２０°よりもかなり大きい曲げ領域後に、自由クランプ脚部１０へと移行し、また、自由クランプ脚部１０は、その自由端１１が、凹部８を通過するとともに、凹部８内で移動でき或いは揺動できる。
【００１６】
したがって、凹部８のサイズは、接触されるべき導体の直径に影響を及ぼすクランプ脚部１０の最大揺動領域を制限する。クランプ脚部１０のための突合せ部としての機能を果たす接触突部１２が、バスバー３からＵ形状のバスバーの内部へと内側に曲げられている。
【００１７】
上側、すなわち、支持レール２１のためのストッパ足部２０から離れて面する側には、導体のため及びねじ回しなどの作業工具のための挿入開口１８，１９が端子台内に形成されている。ねじ回しは、導体を分離するためだけに使用される。
【００１８】
クランプ脚部は２つの別個のクランプ領域１１，１３を有しており、これらのクランプ領域は、いずれの場合にも、様々な直径を有する導体１４，１５，１６（図１〜６）をバスバー（この場合では、バスバー３の接触突部１２）に対して押し付ける目的を果たし、それにより、導体１４〜１６とバスバー３との間で確実かつ良好な接触をもたらすことができる。
【００１９】
図１には、導体１４〜１６における挿入方向がＸで示されている。導入は、通常、工具を何ら用いることなく、単にバスバー３とクランプ脚部１０との間のクランプ点へ導体を挿入することにより行なわれ、それにより、クランプ脚部１０は、導体が良好な接触を行なう目的で接続点へと十分に挿入されるまで側方へ偏位する。
【００２０】
２つのクランプ領域のうちの一方は、クランプ脚部１０の自由端１１によって形成されており、接触されるべき導体が抜去されないように確実に固定するために折り曲げることができ或いは導体挿入方向に対して直角に曲げることができる。この第１の加圧領域１１は、更に小さい第１の直径領域を有する導体１４と接触するために使用される。そのような典型的な実施形態が図１および図３に示されている。
【００２１】
更なるクランプ領域１３は、クランプ脚部の第１の曲げ領域２２によって形成されており、クランプ脚部の自由端１１から短い距離だけ離間して位置されるとともに、導体に対向する側が凹状であり、また、導体から離れて面する側が凸状である。
【００２２】
更に大きい直径を有する導体１５を挿入する場合（図２）には、前方へ弓形に曲がる凹状のクランプ領域１３が導体と当接する。導体１５は、特に、例えば他の接続タイプ（この場合は、引張バネ）への移行部を形成するために使用されるプラグ接続部１７（図２または図３）のピン状の接触チップであってもよく、あるいは、単に、特に大きい直径を有する導体であってもよい（図５）。図４は、一例として２つの導体直径におけるクランプ脚部１０の位置を示している。
【００２３】
接触されるべき導体の直径領域は、以下の様態でもう一度増大される。すなわち、加圧領域１３または凸状曲げ領域の前方に位置されると、クランプ脚部１０の更なる曲げ領域２３が対向して位置合わせされ、それにより、２つの曲げ領域は、自由クランプ脚部１０に対して、長く延びるＳ曲線形状を有するＳ曲線に類似する形状を与える。更なる曲げ領域２３は、自由クランプ脚部１０のほぼ中央に配置される。
【００２４】
加圧領域１３を構成する第１の曲げ領域は、ここでは、クランプ脚部の自由端１０から数ミリメートル（１０ｍｍ未満）または当該自由端の直前に位置されている。
【図面の簡単な説明】
【００２５】
【図１】特定の異なる種類の導体が押し込められる本発明に基づく押し込み接続部を有する端子台の側面図を示している。
【図２】特定の異なる種類の導体が押し込められる本発明に基づく押し込み接続部を有する端子台の側面図を示している。
【図３】特定の異なる種類の導体が押し込められる本発明に基づく押し込み接続部を有する端子台の側面図を示している。
【図４】特定の異なる種類の導体が挿入される押し込み接続部を示している。
【図５】特定の異なる種類の導体が挿入される押し込み接続部を示している。
【図６】特定の異なる種類の導体が挿入される押し込み接続部を示している。
【符号の説明】
【００２６】
１…端子台、２…押し込み接続部、３…バスバー、４…ベース脚部、５…長手方向脚部、６…加圧スプリング、７…脚部、８…凹部、９…領域、１０…クランプ脚部、１１…端部、１２…接触突部、１３…クランプ領域、１４，１５，１６…導体、１７…プラグ接続部、１８，１９…挿入開口、２０…キャッチ足部、２１…支持レール、２２…曲げ領域、２３…曲げ領域、Ｘ…挿入方向
【図１】
2009529211.tif 000003
【図２】
2009529211.tif 000004
【図３】
2009529211.tif 000005
【図４】
2009529211.tif 000006
【図５】
2009529211.tif 000007
【図６】
2009529211.tif 000008
【国際調査報告】
2009529211.tif 000009
2009529211.tif 000010
2009529211.tif 000011
2009529211.tif 000012
2009529211.tif 000013
2009529211.tif 000014